(57)【要約】【課題】任意数の直管型蛍光ランプを包装する場合に、詰め物を要することなく蛍光ランプを位置決めでき、包装コストを低減できるランプ包装装置を提供する。【解決手段】断面正四角筒状のチューブ３で個装された多数の直管型蛍光ランプ２を複数段に重ねて収容可能な段ボール製の包装箱１と、一部のランプ２が取出された包装箱１内に収められ、包装箱１内に残されたランプ２を位置決めする段ボール製の支持板12とを具備する。包装箱１は、四角形状の底壁、底壁の四周に連設された第１から第４の側壁により四角筒状をなす周壁５、周壁５に連設された蓋６を有する。支持板12は、平行な側壁5a，5bにわたる幅を有したベース板部13、チューブ３の一辺の長さの整数倍の幅を有してベース板部13から折り曲げられ側壁5a，5bの内面に沿って配置される保持板部14a，14b、及びベース板部13から折り曲げられて保持板部14a，14bにわたる方向に沿ってチューブ３の一辺の長さの整数倍の長さを占める複数のスペーサ部15〜17を有する。【選択図】      図４
2007055672.tif 000002
【特許請求の範囲】
【請求項１】
四角形状の底壁、この底壁の四周に連設された第１から第４の側壁により四角筒状をなす周壁、この周壁に連設された蓋を有して、断面が正四角筒状の保護用チューブで個装された多数の直管型蛍光ランプを縦横に複数並べて収容可能な段ボール製の包装箱と；
平行な前記第１、第２の側壁にわたる幅を有したベース板部、前記チューブの一辺の長さの整数倍の幅を有して前記ベース板部から折り曲げられて前記第１、第２の側壁内面に沿って配置される一対の保持板部、及び前記ベース板部から折り曲げられて前記一対の保持板部にわたる方向に沿って前記チューブの一辺の長さの整数倍の長さを占める複数のスペーサ部を有し、一部の蛍光ランプが取出された前記包装箱内に収められて、前記包装箱内に残された蛍光ランプを位置決めする段ボール製の支持板と：
を具備することを特徴とするランプ包装装置。
【請求項２】
一枚の段ボールから組立てられるとともに、断面が正四角筒状の保護用チューブで個装された多数の直管型蛍光ランプを収容可能なランプ包装装置であって、
長四角形状の底壁と；
この底壁の長手方向に延びる一対の側縁に夫々連設された一対の側壁と；
これら側壁の少なくとも一方に連設された蓋と；
前記チューブの一辺の長さの整数倍の幅を有した内フラップであって、前記側壁の長手方向の端から前記底壁の長手方向の端の上に位置されるように折り込まれる折込み片、この折込み片から折り曲げられて前記蓋の内面に接する蓋支持片、及び最大収容本数未満の本数の前記蛍光ランプを包装する際に前記折込み片と蓋支持片とにわたる一部分がＬ字形状に折込まれることで形成されて、前記底壁に接した１段目の前記蛍光ランプ及びこの蛍光ランプ上に重なった他の蛍光ランプを、一対の前記側壁の内の少なくとも一方との間に挟むように設けられる折込み部を備えた内フラップと；
前記底壁の長手方向の端に夫々連設されて前記一対の内フラップの外面を覆う端部閉鎖壁と； 
を具備することを特徴とするランプ包装装置。
【発明の詳細な説明】
【技術分野】
【０００１】
本発明は、直管型の蛍光ランプを包装する包装装置に関する。
【背景技術】
【０００２】
従来、四つの連続した矩形の板紙で形成された四角筒状の筒体を一つ又は二つ有し、その筒体内に直管型蛍光ランプを収納し、この筒体の長手方向の端部にランプの脱落防止用の折込み部（内側に折込まれたＬ形突片、対角線に沿って斜めに折込まれた折込片等）を設けたランプ包装容器が知られている（例えば、特許文献１参照）。
【０００３】
更に、一枚の段ボールにより、一つ又は二つの筒状体を形成して、その筒状体内に直管型蛍光ランプが取付けられる照明器具を包装し、筒状体の長手方向の端部に緩衝片を一体に設けた包装装置が知られている（例えば、特許文献２参照。）。
【０００４】
又、複数の電子機器を一緒に包装する包装箱において、包装する電子機器の数が増減しても同じ包装箱で包装できるように、一枚の板材を折り曲げて組立てられた筒型箱体の折曲部に、箱体の軸方向に沿って３個以上の切込み列を形成し、包装する電子機器の数に応じた位置で、切込み列の切込み間又は切込みと板材の縁辺との間を、筒型箱体内に折込んで抑え部を作り、これら抑え部間に箱体内の電子機器を抑えるようにした電子機器の包装箱が知られている（例えば、特許文献３参照。）。
【特許文献１】実願昭62−81506号（実開昭63−190028号）のマイクロフィルム（明細書第１頁第１０行−第１０頁第１４行、第１図−第１７図）
【特許文献２】特開平10−264923号公報(段落0015−0037、図１−図１１)
【特許文献３】特開平8−198358号公報(段落0006−0028、図１−図９)
【発明の開示】
【発明が解決しようとする課題】
【０００５】
特許文献１のランプ包装容器は、１本又は２本の直管型の蛍光ランプを個装する専用のものである。このため、２本を越える蛍光ランプを包装することはできない。同様に、特許文献２の照明器具の包装装置も、１台又は２台の照明器具を個装する専用のものであるため、２台を越える照明器具を包装することはできない。
【０００６】
特許文献３の電子機器の包装箱は、包装する電子機器の数に応じて異なる距離に相当する位置での折込みにより形成される抑え部で、所定数の電子機器を包装するものである。言い換えれば、特許文献３は、電子機器を両側から抑える位置が変わる包装形態を採用している。これに対して、直管型蛍光ランプの包装では、包装される蛍光ランプの数が変わっても、ランプの長手方向両端を抑える位置は変わることがない。このため、特許文献３の技術は、同じ長さの直管型蛍光ランプを任意本数包装するには適していない。
【０００７】
又、直管型蛍光ランプの物流形態の中には、蛍光ランプが組込まれる照明器具の生産地に、多数本（例えば２５本）の蛍光ランプが包装された１個の段ボール製包装装置を、前記照明器具生産地とは別のランプ生産地から輸送し、この照明器具生産地を輸送中継地として、この中継地で、夫々のランプ消費地が必要とする数の蛍光ランプを仕分けするとともに、仕分けされた蛍光ランプを包装して夫々のランプ消費地に蛍光ランプを輸送する形態がある。
【０００８】
この物流形態では、ランプ消費地が必要とする本数の蛍光ランプが、輸送中継地でそこに運ばれた包装装置から取出され、それらのランプを前記包装装置とは別に用意された段ボール製包装箱で包装して、ランプ消費地に出荷している。この出荷において、用意された包装箱の最大収容本数未満の蛍光ランプが包装される場合には、その蛍光ランプを包装箱内に位置決めするために、蛍光ランプの収容本数によって異なる容積となる包装箱内の空間に緩衝材からなる詰め物を詰めている。詰め物としては、発泡スチロール系の詰め物、エアーバッグ製の詰め物、新聞紙などの紙系の詰め物等が使用される。
【０００９】
こうした物流形態での包装には、既述の特許文献１から３に記載された包装の技術はいずれも不適当である。
【００１０】
そして、既述のようにランプ生産地から照明器具生産地に蛍光ランプを輸送するのに用いた包装装置とは別に用意された包装箱で、ランプ消費地が求める本数の蛍光ランプをランプ消費地に輸送する前記物流形態では、ランプ生産地から送られた包装装置が無駄に照明器具生産地で廃棄される。このため、包装コストが嵩む。
【００１１】
更に、蛍光ランプを照明器具生産地からランプ消費地に輸送する包装箱に収容される蛍光ランプの数は夫々異なるので、それに応じた量の詰め物を包装箱に詰めることを余儀なくされている。このため、包装コストが嵩む。しかも、手作業で行われる詰め物の詰め込みでは、詰め込み量の過不足により緩衝性能がばらつくので好ましくない。しかも、ランプ消費地においては、紙系とは別の発泡スチロールなどの詰め物を廃棄処理するのに手間が掛かる。
【００１２】
本発明の目的は、任意数の直管型蛍光ランプを包装する場合に、詰め物を要することなく蛍光ランプを位置決めでき、包装コストを低減できるランプ包装装置を提供することにある。
【課題を解決するための手段】
【００１３】
請求項１の発明は、四角形状の底壁、この底壁の四周に連設された第１から第４の側壁により四角筒状をなす周壁、この周壁に連設された蓋を有して、断面が正四角筒状の保護用チューブで個装された多数の直管型蛍光ランプを縦横に複数並べて収容可能な段ボール製の包装箱と；平行な前記第１、第２の側壁にわたる幅を有したベース板部、前記チューブの一辺の長さの整数倍の幅を有して前記ベース板部から折り曲げられて前記第１、第２の側壁内面に沿って配置される一対の保持板部、及び前記ベース板部から折り曲げられて前記一対の保持板部にわたる方向に沿って前記チューブの一辺の長さの整数倍の長さを占める複数のスペーサ部を有し、一部の蛍光ランプが取出された前記包装箱内に収められて、前記包装箱内に残された蛍光ランプを位置決めする段ボール製の支持板と：を具備している。
【００１４】
この発明において、包装箱の蓋は、周壁をなす第１から第４の側壁の全てに連設されていてもよく、単一の側壁にだけ連設されていてもよく、或いは、平行な二つの側壁の夫々に連設されていてもよい。この発明において、支持板は、直管型蛍光ランプの長手方向両端部に夫々対応させて２枚配置することが好ましいが、１枚であっても、又、３枚以上用いることも可能である。この発明において、支持板が有する複数のスペーサ部は、後述する実施形態以外に、包装箱から取出される蛍光ランプの本数によって、包装箱内で対向する蛍光ランプ相互間の空隙、又は包装箱内で蛍光ランプとこれに対向した一方の側壁ランプとの間の空隙等に応じて個々に独立した形態で設けることもできる。
【００１５】
請求項１の発明で、包装箱にはチューブで個装された直管型蛍光ランプを縦横に整列して密に収容でき、その場合のランプ収納本数が最大収容本数である。このため、最大収容本数から一部の蛍光ランプを取出すことにより、包装箱内に残された蛍光ランプの本数は、最大収容本数未満の本数である。
【００１６】
そして、段ボール製の支持板は、最大収容本数未満の蛍光ランプが収容された包装箱内に収めて使用される。支持板は、そのベース板部から折り曲げられた一対の保持板部を包装箱の第１、第２の側壁内面に沿わせて包装箱内に収められる。それにより、第１、第２の側壁にわたる方向への支持板の動きが抑制されるとともに、この支持板のベース板部と包装箱の底壁とで、包装箱内に残された最大収容本数未満の蛍光ランプが挟まれる。更に、支持板の複数のスペーサ部の少なくとも一部は、第１、第２の側壁の一方とこの一方の側壁の内面に対向している蛍光ランプとの間、又は第１、第２の側壁にわたる方向に互いに離間して対向している蛍光ランプ相互間に、ベース板部から折り込まれる。この場合、蛍光ランプの残り数に対応して１以上のスペーサ部が折り込まれる。それにより、包装箱内に残された最大収容本数未満の蛍光ランプが、第１、第２の側壁にわたる方向に沿って動くことが抑制される。又、包装箱内に残された最大収容本数未満の蛍光ランプは、これらランプの長手方向に位置する包装箱の側壁により、ランプの長手方向へ動くことが抑制される。なお、最後に包装箱の蓋を粘着テープ等の梱包保持部材で開き止めすることにより、ランプ包装装置が組立てられる。
【００１７】
したがって、以上のようにチューブで個装された直管型蛍光ランプを縦横に整列して密に収容した包装箱を利用して、包装箱内に残された最大収容本数未満でかつ任意数の蛍光ランプを、包装箱に対して詰め物を要することなく位置決めできる。
【００１８】
又、請求項２の発明は、一枚の段ボールから組立てられるとともに、断面が正四角筒状の保護用チューブで個装された多数本の直管型蛍光ランプを収容可能なランプ包装装置であって、長四角形状の底壁と；この底壁の長手方向に延びる一対の側縁に夫々連設された一対の側壁と；これら側壁の少なくとも一方に連設された蓋と；前記チューブの一辺の長さの整数倍の幅を有した内フラップであって、前記側壁の長手方向の端から前記底壁の長手方向の端の上に位置されるように折り込まれる折込み片、この折込み片から折り曲げられて前記蓋の内面に接する蓋支持片、及び最大収容本数未満の本数の前記蛍光ランプを包装する際に前記折込み片と蓋支持片とにわたる一部分がＬ字形状に折込まれることで形成されて、前記底壁に接した前記蛍光ランプ及びこの蛍光ランプ上に重なった他の蛍光ランプを、一対の前記側壁の内の少なくとも一方との間に挟むように設けられる折込み部を備えた内フラップと；前記底壁の長手方向の端に夫々連設されて前記一対の内フラップの外面を覆う端部閉鎖壁と；を具備している。
【００１９】
この請求項２の発明では、まず、底壁に対して直角状に一対の側壁を折り曲げる。この後に、夫々の内フラップを側壁に対して直角状に折り曲げて、これら内フラップの折込み片を底壁の長手方向の端の上に配置させるとともに、この折込み片に対して蓋支持片を直角状に折り曲げる。次に、端部閉鎖壁を底壁に対して直角状に折り曲げて内フラップの外面を覆うとともに、蓋を折り曲げてその両端部を内フラップの蓋支持片に支持させる。最後に蓋と端部閉鎖壁とを粘着テープ等の梱包保持部材で開き止めすることにより、直方体状のランプ包装装置が組立てられる。
【００２０】
この組立てによって、最大収容本数以下の個装された直管型蛍光ランプがランプ包装装置に収容される。この際、内フラップの折込み部は、最大収容本数の蛍光ランプがランプ包装装置に収容される場合には、折り込まれないが、最大収容本数未満の数の蛍光ランプがランプ包装装置に収容される場合には、Ｌ字形状に折り込まれる。
【００２１】
この折込みにより、ランプ包装装置に収容された蛍光ランプの長手方向の端部が、一対の側壁の内の少なくとも一方と、Ｌ字形状に折り込まれた折込み部の側縁とで挟まれるようになる。そのため、ランプ包装装置に収容された最大収容本数未満の数の蛍光ランプが、一対の側壁にわたる方向に沿って動くことが抑制される。ランプ包装装置に収容された蛍光ランプは、その長手方向に位置する内フラップ及び端部閉鎖壁により、蛍光ランプの長手方向へ動くことが抑制される。
【００２２】
以上のようにランプ包装装置の内フラップを利用して、このランプ包装装置に収容された最大収容本数未満でかつ任意数の蛍光ランプを、位置決めのための専用部品代表的には詰め物を要することなく、ランプ包装装置に対し位置決めできる。
【発明の効果】
【００２３】
請求項１の発明の包装装置によれば、保護用チューブで個装された直管型蛍光ランプを縦横に整列して密に収容する包装箱を利用できることに加えて、この包装箱に組合わされる支持板の使用により、詰め物を要しないで任意数の蛍光ランプを位置決めして包装でき、したがって、包装コストを低減できる。
【００２４】
請求項２の発明の包装装置によれば、保護用チューブで個装されてランプ包装装置の内部に収容された任意数の直管型蛍光ランプを、ランプ包装装置自体が有した内フラップを利用して位置決めしたので、位置決めのための詰め物等を要しないで任意数の蛍光ランプを包装でき、したがって、包装コストを低減できる。
【発明を実施するための最良の形態】
【００２５】
直管型蛍光ランプ（以下単にランプと略称する）を、その生産地からこれとは別の場所の照明器具生産地（輸送中継地）を経由してランプ消費地に、この消費地が要求する本数のランプを輸送する蛍光ランプ物流システムでは、図１に示す包装箱１を利用した第１の包装装置１１（図２参照）と、図１４及び図１５（Ｄ）に示す第２の包装装置３１とが用いられる。第１の包装装置１１は本発明の第１実施形態に係るものであり、第２の包装装置３１は本発明の第２実施形態に係るものである。
【００２６】
第１の包装装置１１は、包装箱１にこれに最大に収容可能な数のランプ数以下の任意な本数のランプ２を収容して、このランプ２をランプ消費地に輸送するのに使用される。第２の包装装置３１は、包装箱１から取出された１本以上のランプ２の内から、他の輸送対象のランプ消費地が要求する任意な本数のランプ２を収容して、このランプ２を前記他のランプ消費地に輸送するのに使用される。
【００２７】
図１（Ａ）〜（Ｃ）を参照して包装箱１について説明する。包装箱１は、直方体状に組立てられていて、その内部に多数本例えば２５本のランプ２をまとめて例えば縦横複数段具体的には縦横に５本ずつ並べて密に収容できるものである。図１（Ｃ）に示すように各ランプ２は、１本ずつ波板状の紙からなる断面四角筒形状の保護用のチューブ３に包装（個装）されている。
【００２８】
包装箱１は、段ボール製であって、図１（Ｃ）に示す底壁４、図１（Ａ）（Ｂ）に示す四角筒状をなす周壁５、図１（Ａ）〜（Ｃ）に示す一対の蓋６を備えている。
【００２９】
底壁４は長方形をなしている。周壁５は、底壁４の四周に連設された第１の側壁５ａ〜第４の側壁５ｄにより四角筒状に形成されている。第１の側壁５ａ及び第２の側壁５ｂは底壁４の長手方向と平行な縁に連設され、第３の側壁５ｃ及び第４の側壁５ｄは底壁４の長手方向と直交する縁に連設されている。図１（Ｂ）に示すように一対の蓋６は、周壁５の第１の側壁５ａと第２の側壁５ｂとに夫々連設されていて、その両端に折り込み部６ａを有している。
【００３０】
この包装箱１は、チューブ３で個装された２５本のランプ２を内部に納めた状態で、蓋６を閉じた状態に保持して、保管や輸送などに供される。蓋６を閉じた状態に保持するには、梱包保持部材、例えば図１（Ａ）中二点鎖線で示すように第３の側壁５ｃ及び第４の側壁５ｄと蓋６とにわたって貼付けられる粘着テープ７ａ、及び一対の蓋６にわたって貼付けられる粘着テープ７ｂが使用される。
【００３１】
図２に示すように第１の包装装置１１は、前記包装箱１と、支持板１２とを具備して構成されている。
【００３２】
支持板１２は一枚の段ボールからなる。図３等に示すように支持板１２は、ベース板部１３、一対の保持板部１４ａ，１４ｂ、複数例えば第１のスペーサ部１５〜第３のスペーサ部１７、折込み部１８、及びスペーサ板部１９を備えている。なお、図３中符号Ｙは支持板１２をなす段ボールの段頂が延びる方向を示している。
【００３３】
ベース板部１３は、包装箱１の第１の側壁５ａと第２の側壁５ｂとにわたる大きさの幅、言い換えれば、包装箱１に収容された個装のランプ２が横方向に並べられた本数（本実施形態では５本）に相当する幅Ａを有している。このベース板部１３の互いに平行な側縁に保持板部１４ａ，１４ｂが個別に連設されている。ベース板部１３と保持板部１４ａ，１４ｂとの境目には線状の折り目予定部２１が設けられている。
【００３４】
保持板部１４ａ，１４ｂは、折り目予定部２１を折り目としてベース板部１３の一面に対して直角状に折り曲げることも、又、ベース板部１３の他面に対して直角状に折り曲げることも可能である。これらの保持板部１４ａ，１４ｂの幅Ｂは、図１（Ｃ）に示すチューブ３の一辺の長さＸの整数倍、例えば２倍に設定されている。
【００３５】
この幅Ｂは、前記照明器具生産地にて包装箱１から取除かれるランプ２の段数に応じて設定され、本実施形態では、包装箱１からのランプ２の最大取除き段数を２段としてある。したがって、最大取除き段数が１段であれば、保持板部１４ａ，１４ｂの幅Ｂは長さＸの１倍に設定され、同様に最大取除き段数が３段であれば、保持板部１４ａ，１４ｂの幅Ｂは長さＸの３倍に設定される。
【００３６】
第１のスペーサ部１５〜第３のスペーサ部１７は、いずれもチューブ３の一辺の長さＸに等しい幅を有していて、ベース板部１３の幅Ａ方向中央部に、同方向に沿って並べて設けられている。互いに隣接した第１のスペーサ部１５〜第３のスペーサ部１７相互間に夫々切れ目Ｃが設けられている。これとともに、第１のスペーサ部１５〜第３のスペーサ部１７の並び方向に連続するベース板部１３の部位１３ａ，１３ｂと第１のスペーサ部１５及び第３のスペーサ部１７との間に夫々切れ目Ｄが設けられている。切れ目Ｃ，Ｄの切込み深さは前記長さＸに等しい。これら第１のスペーサ部１５〜第３のスペーサ部１７は、夫々に対応して設けられた折り目予定部Ｅ〜Ｇを折り目としてベース板部１３の一面に対して直角状に折り曲げることができる。各折り目予定部Ｅ〜Ｇは互いに直線状に連続してベース板部１３の幅Ａ方向に延びている。
【００３７】
折込み部１８は、例えば保持板部１４ａとベース板部１３とにわたって設けられている。折込み部１８は、保持板部１４ａとベース板部１３との境をなした一方の折り目予定部２１と直交する切れ目Ｈと、この切れ目Ｈの両端から直角に折れ曲がった折り目予定部Ｉとによって区画されていて、ベース板部１３の一面からＬ形状に突出するように折込み可能である。折り込まれた折込み部１８の幅と折込み深さは、いずれも前記長さＸに等しい。
【００３８】
スペーサ板部１９は、ベース板部１３の幅Ａと好ましくは同じ長さ（幅Ａより短くてもよい）の主部１９ａと、この主部１９ａの長手方向中央部に突出されたアンカー部１９ｂとからＴ字形をなしている。主部１９ａの幅Ｊは前記長さＸに等しい。スペーサ板部１９は２箇所の折り目予定部Ｋを折り目としてベース板部１３に対して直角状に折り曲げることができる。この折曲げを可能とするために、アンカー部１９ｂは、主部１９ａと連続する部分を除いて切れ目Ｌで区画されている。
【００３９】
ランプ生産地から前記包装箱１を用いて照明器具生産地に輸送されたランプの内、ランプ消費地が要求する照明器具の数に応じた本数のランプ２が、照明器具生産地からランプ消費地に輸送される。その際に輸送されるランプ２の本数が包装箱１の最大収容本数以下の場合がある。
【００４０】
この場合には、包装箱１を開梱して、余剰となる本数のランプ２を取出した後、この包装箱１に２枚の支持板１２を組み合わせて、ランプ消費地への輸送に供される第１の包装装置１１が組立てられる。以下、所望の輸送本数のランプ取出し後の組立て手順（包装手順）と、組立てられた第１の包装装置１１の作用効果を説明する。
【００４１】
開梱された包装箱１から個装されたランプ２が最上段から１本取出された場合は、まず、支持板１２を図４中二点鎖線に示すように折り曲げる。つまり、折り目予定部２１を折り目として一対の保持板部１４ａ，１４ｂを、互いに平行となるようにベース板部１３に対し直角状に折り曲げる（保持板部曲げ工程）。これとともに、折り目予定部Ｆを折り目として第２のスペーサ部１６をベース板部１３に対し直角状に折り曲げる（スペーサ部曲げ工程）。
【００４２】
スペーサ部の以上の折り曲げは、最上段の５本の個装されたランプ２の内の真ん中のランプ２が取出された場合である。その左隣のランプ２が取出されている場合には、その位置に対応する第３のスペーサ部１７が折り目予定部Ｇを折り目として折り曲げられ、同様に右隣のランプ２が取出されている場合には、その位置に対応する第１のスペーサ部１５が折り目予定部Ｅを折り目として折り曲げられる。
【００４３】
次に、以上のように折り曲げられた２枚の支持板１２を包装箱１内の長手方向両端部に夫々収容する。この場合、一方の保持板部１４ａを、第１の側壁５ａ又は第２の側壁５ｂと個装されたランプ２群との間に挿入することにより、第１の側壁５ａ又は第２の側壁５ｂの内面に沿って配置する。同様に、他方の保持板部１４ｂを、第２の側壁５ｂ又は第１の側壁５ａと個装されたランプ２群との間に挿入することにより、第２の側壁５ｂ又は第１の側壁５ａの内面に沿って配置する（支持板収容工程）。
【００４４】
したがって、最上段に残った４本の個装されたランプ２上にベース板部１３が重ねられた状態が保持される。これとともに、第２のスペーサ部１６が、取出されたランプがあった場所に入り込んで、その両隣のランプ２を個装したチューブ３で挟まれた状態に配置される。なお、第２のスペーサ部１６の折り曲げは、支持板１２を包装箱１に挿入した後に実施してもよい。
【００４５】
最後に、蓋閉め工程を行う。つまり、蓋６の折り込み部６ａを個装されたランプ２群と第３の側壁５ｃ及び第４の側壁５ｄとの間に夫々挿入しつつ、この蓋６を閉じて、粘着テープを用いて蓋６の開き止めをする。これにより、最上段のランプ２群と蓋６との間に支持板１２のベース板部１３が挟まれるように保持される。
【００４６】
以上の手順で組み立てられた第１の包装装置１１では、支持板１２のベース板部１３から折り曲げられた一対の保持板部１４ａ，１４ｂが包装箱１の第１の側壁５ａ，第２の側壁５ｂの内面に沿っているので、第１の側壁５ａと第２の側壁５ｂとにわたる方向への支持板１２の動きを抑制できる。これとともに、この支持板１２と包装箱１の底壁４とで包装箱１内に残された最大収容本数未満（この場合２４本）のランプ２が上下方向（包装箱１の厚み方向）に挟まれる。この場合、取出された１本のランプがあった場所の下方に位置された縦一列のランプ群が、包装箱１の底壁４と第２のスペーサ部１６とで上下方向に挟まれるようになるので、前記縦一列のランプ群が包装箱１の厚み方向に動くことも抑制できる。更に、第２のスペーサ部１６が、取出された１本のランプがあった場所に入り込んで、その両隣の個装されたランプ２で挟まれた状態に配置されるので、最上段に残された４本のランプ２が第１の側壁５ａと第２の側壁５ｂとにわたる方向に動くことを抑制できる。又、包装箱１内に残された２４本のランプ２は、これらランプ２の長手方向に位置する包装箱１の第３の側壁５ｃ及び第４の側壁５ｄにより、ランプ２の長手方向へ動くことが抑制されている。
【００４７】
したがって、照明器具生産地からランプ消費地へ輸送される際等に、以上の動き止めによって第１の包装装置１１に加わる衝撃を有効に緩衝できる。
【００４８】
又、開梱された包装箱１から個装されたランプ２が最上段から２本取出された場合は、まず、前記保持板部曲げ工程を実施するとともに、スペーサ部曲げ工程を実施して、支持板１２を図５中二点鎖線に示すように折り曲げる。スペーサ部曲げ工程では、折り目予定部Ｅ及びＦを折り目として第１のスペーサ部１５及び第２のスペーサ部１６を夫々ベース板部１３に対し直角状に折り曲げる。
【００４９】
次に、前記支持板収容工程を実施する。それにより、最上段に残された３本の個装されたランプ２上にベース板部１３が重ねられた状態が保持されるとともに、ベース板部１３の幅方向に互いに連続した第１のスペーサ部１５と第２のスペーサ部１６が、取出されたランプがあった場所に入り込んで、その両隣の個装されたランプ２で挟まれた状態に配置される。なお、第１のスペーサ部１５と第２のスペーサ部１６の折り曲げは、支持板１２を包装箱１に挿入した後に実施してもよい。
【００５０】
最後に、最上段のランプ２群と蓋６との間に支持板１２のベース板部１３が挟まれるように、既述の蓋閉め工程を実施する。
【００５１】
以上の手順で組み立てられた第１の包装装置１１では、第１の側壁５ａと第２の側壁５ｂとにわたる方向への支持板１２の動きを抑制できる。これとともに、この支持板１２と包装箱１の底壁４とで包装箱１内に残された最大収容本数未満（この場合２３本）のランプ２が上下方向に挟まれる。この場合、取出された２本のランプがあった場所の下方に位置された縦二列のランプ群が、包装箱１の底壁４と第１のスペーサ部１５及び第２のスペーサ部１６とで挟まれるようになるので、前記縦二列のランプ群が包装箱１の厚み方向に動くことも抑制できる。更に、第１のスペーサ部１５と第２のスペーサ部１６が、取出された２本のランプがあった場所に入り込んで、その両隣の個装されたランプ２で挟まれた状態に配置されるので、最上段に残された３本のランプ２が第１の側壁５ａと第２の側壁５ｂとにわたる方向に動くことを抑制できる。又、包装箱１内に残された２３本のランプ２がその長手方向へ動くことは、包装箱１の第３の側壁５ｃ及び第４の側壁５ｄにより抑制されている。
【００５２】
したがって、照明器具生産地からランプ消費地へ輸送される際等に、以上の動き止めによって第１の包装装置１１に加わる衝撃を有効に緩衝できる。
【００５３】
又、開梱された包装箱１から個装されたランプ２が最上段から３本取出された場合は、まず、前記保持板部曲げ工程を実施するとともに、スペーサ部曲げ工程を実施する。スペーサ部曲げ工程では、折り目予定部Ｅ〜折り目予定部Ｇを折り目として第１のスペーサ部１５〜第３のスペーサ部１７を夫々ベース板部１３に対し直角状に折り曲げる。
【００５４】
次に、前記支持板収容工程を実施する。それにより、最上段に残された２本の個装されたランプ２上にわたってベース板部１３が重ねられた状態が保持されるとともに、ベース板部１３の幅方向に互いに連続した第１のスペーサ部１５〜第３のスペーサ部１７が、取出されたランプがあった場所に入り込んで、その両隣の個装されたランプ２で挟まれた状態に配置される。なお、第１のスペーサ部１５〜第３のスペーサ部１７の折り曲げは、支持板１２を包装箱１に挿入した後に実施してもよい。
【００５５】
最後に、最上段のランプ２群と蓋６との間に支持板１２のベース板部１３が挟まれるように、既述の蓋閉め工程を実施する。
【００５６】
以上の手順で組み立てられた第１の包装装置１１では、第１の側壁５ａと第２の側壁５ｂとにわたる方向への支持板１２の動きを抑制できる。これとともに、この支持板１２と包装箱１の底壁４とで包装箱１内に残された最大収容本数未満（この場合２２本）のランプ２が上下方向に挟まれる。この場合、取出された３本のランプがあった場所の下方に位置された縦三列のランプ群が、包装箱１の底壁４と第１のスペーサ部１５〜第３のスペーサ部１７とで上下方向に挟まれるようになるので、前記縦三列のランプ群が包装箱１の厚み方向に動くことも抑制できる。更に、第１のスペーサ部１５〜第３のスペーサ部１７が、取出された３本のランプがあった場所に入り込んで、その両隣の個装されたランプ２で挟まれた状態に配置されるので、最上段に残された２本のランプ２が第１の側壁５ａと第２の側壁５ｂとにわたる方向に動くことを抑制できる。又、包装箱１内に残された２２本のランプ２がその長手方向へ動くことは、包装箱１の第３の側壁５ｃ及び第４の側壁５ｄにより抑制されている。
【００５７】
したがって、照明器具生産地からランプ消費地へ輸送される際等に、以上の動き止めによって第１の包装装置１１に加わる衝撃を有効に緩衝できる。
【００５８】
又、開梱された包装箱１から個装されたランプ２が最上段から４本取出された場合は、まず、前記保持板部曲げ工程を実施するとともに、スペーサ部曲げ工程及び折り込み工程を実施して、支持板１２を図７中二点鎖線に示すように折り曲げる。スペーサ部曲げ工程では、折り目予定部Ｅ〜折り目予定部Ｇを折り目として第１のスペーサ部１５〜第３のスペーサ部１７を夫々ベース板部１３に対し直角状に折り曲げる。折り込み工程では折込み部１８をＬ形状となるように折り込む。
【００５９】
次に、前記支持板収容工程を実施する。それにより、最上段に残された１本の個装されたランプ２上にベース板部１３が重ねられた状態が保持される。これとともに、ベース板部１３の幅方向に互いに連続した第１のスペーサ部１５〜第３のスペーサ部１７が、取出された３本のランプがあった場所に入り込み、その内の第３のスペーサ部１７が、最上段に残された１本の個装されたランプ２を第１の側壁５ａとの間に挟む状態に配置される。更に、取出された４本目のランプ２があった場所に入り込んで、折込み部１８が上から２段目に位置したランプ２の内で、前記最上段に残された１本のランプ２から最も遠い位置のランプ２に載置される。したがって、折込み部１８のスペーサ作用で、包装箱１に収容された支持板１２が傾くことを抑制して、第１のスペーサ部１５〜第３のスペーサ部１７の機能を維持させることができる。なお、第１のスペーサ部１５〜第３のスペーサ部１７の折り曲げと折込み部１８の折り込みは、支持板１２を包装箱１に挿入した後に実施してもよい。
【００６０】
最後に、最上段のランプ２群と蓋６との間に支持板１２のベース板部１３が挟まれるように、既述の蓋閉め工程を実施する。
【００６１】
以上の手順で組み立てられた第１の包装装置１１では、支持板１２のベース板部１３から折り曲げられた一対の保持板部１４ａ，１４ｂが包装箱１の第１の側壁５ａ，第２の側壁５ｂの内面に沿っているので、第１の側壁５ａと第２の側壁５ｂとにわたる方向への支持板１２の動きを抑制できる。これとともに、この支持板１２と包装箱１の底壁４とで包装箱１内に残された最大収容本数未満（この場合２１本）のランプ２が上下方向に挟まれる。この場合、取出された３本のランプがあった場所の下方に位置された縦三列のランプ群が、包装箱１の底壁４と第１のスペーサ部１５〜第３のスペーサ部１７とで上下方向に挟まれるようになる。加えて、取出された４本目のランプがあった場所の下方に位置された縦一列のランプ群が、底壁４と折込み部１８とで上下方向に挟まれるようになる。このため、合計縦５列のランプ群が上下方向（包装箱１の厚み方向）に動くことを抑制できる。更に、第３のスペーサ部１７が、最上段に残った１本のランプ２を第１の側壁５ａとの間に挟むので、この１本のランプ２が第１の側壁５ａと第２の側壁５ｂとにわたる方向に動くことを抑制できる。又、包装箱１内に残された２１本のランプ２がその長手方向へ動くことは、包装箱１の第３の側壁５ｃ及び第４の側壁５ｄにより抑制されている。
【００６２】
したがって、照明器具生産地からランプ消費地へ輸送される際等に、以上の動き止めによって第１の包装装置１１に加わる衝撃を有効に緩衝できる。
【００６３】
又、開梱された包装箱１から個装された５本のランプ２が最上段から取出された場合は、まず、前記保持板部曲げ工程を実施するとともに、スペーサ板部曲げ工程を実施して、支持板１２を図８中二点鎖線に示すように折り曲げる。スペーサ板部曲げ工程では、折り目予定部Ｋを折り目としてスペーサ板部１９を、その主部１９ａが上向きとなるようにベース板部１３に対し直角状に折り曲げる。
【００６４】
次に、前記支持板収容工程を実施する。それにより、上から２段目の５本の個装されたランプ２上にベース板部１３が重ねられた状態が保持される。しかも、この場合、スペーサ板部１９の主部１９ａの上端が、第３の側壁５ｃ又は第４の側壁５ｄの上端の高さと略同じ高さ位置に配置される。これとともに、スペーサ板部１９のアンカー部１９ｂが、包装箱１内に残された２０本のランプ群と第３の側壁５ｃ又は第４の側壁５ｄと間に挿入される。このように配置されたアンカー部１９ｂにより、支持板１２が包装箱１の長手方向に動かないように保持できる。
【００６５】
最後に、既述の蓋閉め工程を実施する。この場合、蓋６の折り込み部６ａが、スペーサ板部１９と第３の側壁５ｃ又は第４の側壁５ｄと間に挿入される。これにより、蓋６の内面がスペーサ板部１９の主部１９ａの上端に当たるようになるので、支持板１２のベース板部１３が、上から２段目の５本の個装されたランプ２上に押し付けられる状態が保持される。
【００６６】
以上の手順で組み立てられた第１の包装装置１１では、第１の側壁５ａと第２の側壁５ｂとにわたる方向及び包装箱１の長手方向への支持板１２の動きを抑制できる。これとともに、この支持板１２と包装箱１の底壁４とで包装箱１内に残された最大収容本数未満（この場合２０本）のランプ２が上下方向に挟まれる。又、包装箱１内に残された２０本のランプ２がその長手方向へ動くことは、包装箱１の第３の側壁５ｃ及び第４の側壁５ｄにより抑制されている。
【００６７】
したがって、照明器具生産地からランプ消費地へ輸送される際等に、以上の動き止めによって第１の包装装置１１に加わる衝撃を有効に緩衝できる。
【００６８】
又、開梱された包装箱１から個装された最上段に位置された５本のランプ２と、上から２段目の５本のランプの内の１本が取出された場合は、まず、前記保持板部曲げ工程を実施するとともに、スペーサ板部曲げ工程及びスペーサ部折り曲げ工程を実施して、支持板１２を図９中二点鎖線に示すように折り曲げる。スペーサ板部曲げ工程では、折り目予定部Ｋを折り目としてスペーサ板部１９を、その主部１９ａが上向きとなるようにベース板部１３に対し直角状に折り曲げる。スペーサ部折り曲げ工程では、折り目予定部Ｆを折り目として第２のスペーサ部１６をベース板部１３に対し直角状に折り曲げる。
【００６９】
次に、図８で説明した前記支持板収容工程を実施する。それにより、上から２段目に残った４本の個装されたランプ２上にベース板部１３が重ねられた状態が保持される。これとともに、第２のスペーサ部１６が、前記２段目から取出されたランプがあった場所に入り込んで、その両隣のチューブ３で個装されたランプ２で挟まれた状態に配置される。なお、第２のスペーサ部１６の折り曲げは、支持板１２を包装箱１に挿入した後に実施してもよい。
【００７０】
最後に、図８で説明した前記蓋閉め工程を実施する。
【００７１】
以上の手順で組み立てられた第１の包装装置１１では、支持板１２のベース板部１３から折り曲げられた一対の保持板部１４ａ，１４ｂが包装箱１の第１の側壁５ａ，第２の側壁５ｂの内面に沿っているので、第１の側壁５ａと第２の側壁５ｂとにわたる方向への支持板１２の動きを抑制できる。これとともに、この支持板１２と包装箱１の底壁４とで包装箱１内に残された最大収容本数未満（この場合１９本）のランプ２が上下方向に挟まれる。この場合、上から２段目より取出された１本のランプがあった場所の下方に位置された縦一列のランプ群が、包装箱１の底壁４とは第２のスペーサ部１６とで上下方向に挟まれるようになるので、前記縦一列のランプ群が上下方向（包装箱１の厚み方向）に動くことを抑制できる。更に、第２のスペーサ部１６が、上から２段目より取出された１本のランプがあった場所に入り込んで、その両隣の個装されたランプ２で挟まれた状態に配置されるので、上から２段目（この包装状態では最上段）に残された４本のランプ２が第１の側壁５ａと第２の側壁５ｂとにわたる方向に動くことを抑制できる。又、包装箱１内に残された１９本のランプ２は、これらランプ２の長手方向に位置する包装箱１の第３の側壁５ｃ及び第４の側壁５ｄにより、ランプ２の長手方向へ動くことが抑制されている。
【００７２】
したがって、照明器具生産地からランプ消費地へ輸送される際等に、以上の動き止めによって第１の包装装置１１に加わる衝撃を有効に緩衝できる。
【００７３】
又、開梱された包装箱１から個装された最上段に位置された５本のランプ２と、上から２段目の５本のランプの内の２本が取出された場合は、まず、前記保持板部曲げ工程を実施するとともに、前記スペーサ板部曲げ工程を実施して、支持板１２を図１０中二点鎖線に示すように折り曲げ、更にスペーサ部曲げ工程を実施する。この場合、スペーサ部曲げ工程では、折り目予定部Ｅを折り目として第１のスペーサ部１５をベース板部１３に対し直角状に折り曲げるとともに、折り目予定部Ｆを折り目として第２のスペーサ部１６をベース板部１３に対し直角状に折り曲げる。
【００７４】
次に、図８で説明した前記支持板収容工程を実施する。それにより、上から２段目に残った３本の個装されたランプ２上にベース板部１３が重ねられた状態が保持される。これとともに、ベース板部１３の幅方向に互いに連続した第１のスペーサ部１５及び第２のスペーサ部１６が、上から２段目から取出されたランプがあった場所に入り込んで、その両隣のチューブ３で個装着されたランプ２で挟まれた状態に配置される。なお、第１のスペーサ部１５及び第２のスペーサ部１６の折り曲げは、支持板１２を包装箱１に挿入した後に実施してもよい。
【００７５】
最後に、図８で説明した前記蓋閉め工程を実施する。
【００７６】
以上の手順で組み立てられた第１の包装装置１１では、支持板１２のベース板部１３から折り曲げられた一対の保持板部１４ａ，１４ｂが包装箱１の第１の側壁５ａ，第２の側壁５ｂの内面に沿っているので、第１の側壁５ａと第２の側壁５ｂとにわたる方向への支持板１２の動きを抑制できる。これとともに、この支持板１２と包装箱１の底壁４とで包装箱１内に残された最大収容本数未満（この場合１８本）のランプ２が上下方向に挟まれる。この場合、上から２段目より取出された２本のランプがあった場所の下方に位置された縦二列のランプ群が、第１のスペーサ部１５及び第２のスペーサ部１６と包装箱１の底壁４とで上下方向に挟まれるようになるので、前記縦二列のランプ群が上下方向（包装箱１の厚み方向）に動くことを抑制できる。更に、第１のスペーサ部１５及び第２のスペーサ部１６が、上から２段目より取出された２本のランプがあった場所に入り込んで、その両隣の個装されたランプ２で挟まれた状態に配置されるので、上から２段目（この包装状態では最上段）に残された３本のランプ２が第１の側壁５ａと第２の側壁５ｂとにわたる方向に動くことを抑制できる。又、包装箱１内に残された１８本のランプ２は、これらランプ２の長手方向に位置する包装箱１の第３の側壁５ｃ及び第４の側壁５ｄにより、ランプ２の長手方向へ動くことが抑制されている。
【００７７】
したがって、照明器具生産地からランプ消費地へ輸送される際等に、以上の動き止めによって第１の包装装置１１に加わる衝撃を有効に緩衝できる。
【００７８】
又、開梱された包装箱１から個装された最上段に位置された５本のランプ２と、上から２断面の５本のランプの内の３本が取出された場合は、まず、前記保持板部曲げ工程を実施するとともに、前記スペーサ板部曲げ工程を実施して、支持板１２を図１１中二点鎖線に示すように折り曲げ、更にスペーサ部曲げ工程を実施する。この場合、スペーサ部曲げ工程では、折り目予定部Ｅ〜Ｇを折り目として第１のスペーサ部１５〜第３のスペーサ部１７をベース板部１３に対し直角状に折り曲げる。
【００７９】
次に、図８で説明した前記支持板収容工程を実施する。それにより、上から２段目に残った２本の個装されたランプ２上にベース板部１３が重ねられた状態が保持される。これとともに、ベース板部１３の幅方向に互いに連続した第１のスペーサ部１５〜第３のスペーサ部１７が、上から２段目から取出されたランプがあった場所に入り込んで、その両隣の個装されたランプ２で挟まれた状態に配置される。なお、第１のスペーサ部１５〜第３のスペーサ部１７の折り曲げは、支持板１２を包装箱１に挿入した後に実施してもよい。
【００８０】
最後に、図８で説明した前記蓋閉め工程を実施する。
【００８１】
以上の手順で組み立てられた第１の包装装置１１では、支持板１２のベース板部１３から折り曲げられた一対の保持板部１４ａ，１４ｂが包装箱１の第１の側壁５ａ，第２の側壁５ｂの内面に沿っているので、第１の側壁５ａと第２の側壁５ｂとにわたる方向への支持板１２の動きを抑制できる。これとともに、この支持板１２と包装箱１の底壁４とで包装箱１内に残された最大収容本数未満（この場合１７本）のランプ２が上下方向に挟まれる。この場合、上から２段目より取出された３本のランプがあった場所の下方に位置された縦三列のランプ群が、第１のスペーサ部１５〜第３のスペーサ部１７と包装箱１の底壁４とで上下方向に挟まれるようになるので、前記縦三列のランプ群が上下方向（包装箱１の厚み方向）に動くことを抑制できる。更に、第１のスペーサ部１５〜第３のスペーサ部１７が、前記２段目より取出された３本のランプがあった場所に入り込んで、その両隣の個装されたランプ２で挟まれた状態に配置されるので、上から２段目（この包装状態では最上段）に残された２本のランプ２が第１の側壁５ａと第２の側壁５ｂとにわたる方向に動くことを抑制できる。又、包装箱１内に残された１７本のランプ２は、これらランプ２の長手方向に位置する包装箱１の第３の側壁５ｃ及び第４の側壁５ｄにより、ランプ２の長手方向へ動くことが抑制されている。
【００８２】
したがって、照明器具生産地からランプ消費地へ輸送される際等に、以上の動き止めによって第１の包装装置１１に加わる衝撃を有効に緩衝できる。
【００８３】
又、開梱された包装箱１から個装された最上段に位置された５本のランプ２と、上から２段目の５本のランプの内の４本が取出された場合は、まず、前記保持板部曲げ工程及び前記スペーサ板部曲げ工程を実施するとともに、スペーサ部曲げ工程を実施し、更に折り込み工程を実施して支持板１２を図１２中二点鎖線に示すように折り曲げる。この場合、スペーサ部曲げ工程では、折り目予定部Ｅ〜Ｇを折り目として第１のスペーサ部１５〜第３のスペーサ部１７をベース板部１３に対し直角状に折り曲げる。折り込み工程では、折込み部１８をＬ形状となるように折り込む。
【００８４】
次に、図８で説明した前記支持板収容工程を実施する。それにより、上から２段目に残された１本の個装されたランプ２上にベース板部１３が重ねられた状態が保持される。これとともに、ベース板部１３の幅方向に互いに連続した第１のスペーサ部１５〜第３のスペーサ部１７が、取出された３本のランプがあった場所に入り込み、その内の第３のスペーサ部１７が、上から２段目に残された１本の個装されたランプ２を第１の側壁５ａとの間に挟む状態に配置される。更に、前記２段目より取出された４本目のランプがあった場所に入り込んで、折込み部１８が上から２段目に位置したランプ２の内で、前記残された１本のランプ２から最も遠い位置のランプ２に載置される。これにより、折込み部１８のスペーサ作用で、包装箱１に収容された支持板１２が傾くことを抑制して、第１のスペーサ部１５〜第３のスペーサ部１７の機能を維持させることができる。なお、第１のスペーサ部１５〜第３のスペーサ部１７の折り曲げと折込み部１８の折り込みは、支持板１２を包装箱１に挿入した後に実施してもよい。
【００８５】
最後に、図８で説明した前記蓋閉め工程を実施する。
【００８６】
以上の手順で組み立てられた第１の包装装置１１では、支持板１２のベース板部１３から折り曲げられた一対の保持板部１４ａ，１４ｂが包装箱１の第１の側壁５ａ，第２の側壁５ｂの内面に沿っているので、第１の側壁５ａと第２の側壁５ｂとにわたる方向への支持板１２の動きを抑制できる。これとともに、この支持板１２と包装箱１の底壁４とで包装箱１内に残された最大収容本数未満（この場合１６本）のランプ２が上下方向に挟まれる。この場合、取出された４本目のランプがあった場所の下方に位置された縦一列のランプ群が、包装箱１の底壁４と折込み部１８とで上下方向に挟まれるようになる。このため、合計縦５列のランプ群が上下方向（包装箱１の厚み方向）に動くことを抑制できる。更に、第３のスペーサ部１７が、最上段に残った１本のランプ２を第１の側壁５ａとの間に挟むので、この１本のランプ２が第１の側壁５ａと第２の側壁５ｂとにわたる方向に動くことを抑制できる。又、包装箱１内に残された２１本のランプ２がその長手方向へ動くことは、包装箱１の第３の側壁５ｃ及び第４の側壁５ｄにより抑制されている。
【００８７】
したがって、照明器具生産地からランプ消費地へ輸送される際等に、以上の動き止めによって第１の包装装置１１に収容されたランプ２に加わる衝撃を有効に緩衝できる。
【００８８】
又、開梱された包装箱１から個装された最上段と上から２段目に位置された合計１０本のランプ２が取出された場合は、まず、前記保持板部曲げ工程及び前記スペーサ板部曲げ工程を実施して、支持板１２を図１３中二点鎖線に示すように折り曲げる。この場合の保持板部曲げ工程では、一対の保持板部１４ａ，１４ｂを上向きに折り曲げる。
【００８９】
次に、包装箱１の端部に支持板１２を収容する支持板収容工程を実施する。それにより、上から３段目の５本の個装されたランプ２上にベース板部１３が重ねられた状態が保持される。しかも、この場合、第１の側壁５ａ又は第２の側壁５ｂの内面に沿った一対の保持板部１４ａ，１４ｂの上端が、第１の側壁５ａ及び第２の側壁５ｂの上端の高さと略同じ高さ位置に配置される。これとともに、スペーサ板部１９のアンカー部１９ｂが、包装箱１内に残された１５本のランプ群と第３の側壁５ｃ又は第４の側壁５ｄと間に挿入される。このアンカー部１９ｂにより、支持板１２が包装箱１の長手方向に動かないように保持できる。
【００９０】
最後に、既述の蓋閉め工程を実施する。これにより、蓋６の内面が保持板部１４ａ，１４ｂの上端に当たるようになり、支持板１２のベース板部１３が、上から３段目の５本の個装されたランプ２上に押し付けられる状態が保持される。
【００９１】
以上の手順で組み立てられた第１の包装装置１１では、支持板１２のベース板部１３から折り曲げられた一対の保持板部１４ａ，１４ｂが包装箱１の第１の側壁５ａ，第２の側壁５ｂの内面に沿っているので、第１の側壁５ａと第２の側壁５ｂとにわたる方向及び包装箱１の長手方向への支持板１２の動きを抑制できる。これとともに、この支持板１２と包装箱１の底壁４とで包装箱１内に残された最大収容本数未満（この場合１５本）のランプ２が挟まれる。又、包装箱１内に残された１５本のランプ２がその長手方向へ動くことは、包装箱１の第３の側壁５ｃ及び第４の側壁５ｄにより抑制されている。
【００９２】
したがって、照明器具生産地からランプ消費地へ輸送される際等に、以上の動き止めによって第１の包装装置１１に加わる衝撃を有効に緩衝できる。
【００９３】
以上のように第１の包装装置１１は、ランプ生産地から照明器具生産地に多数本のランプ２をまとめて輸送するのに使用した包装箱１を、廃棄することなく照明器具生産地からランプ消費地へのランプの輸送に用いるので、包装箱１が無駄にならない。更に、包装箱１からランプ２を１本〜１０本の内で任意本数取出した場合に、簡単な構成の支持板１２を使用して包装箱１内に残されたランプを動き止めできる。このため、任意数のランプ取出しの後に、包装箱１に残されたランプを動き止めする詰め物を要することがない。したがって、ランプ生産地からまとまった本数のランプ２が輸送された照明器具生産地で、ランプ消費地に必要とする本数のランプ２を、包装し直してランプ消費地に輸送する上で、その包装コストを低減できる。又、第1の包装装置１１をなす包装箱１及び支持板１２はいずれも段ボール製であるので、それらを廃材として回収ないし廃棄する上で好ましい。
【００９４】
次に、第２の包装装置３１を説明する。
【００９５】
第２の包装装置３１は、照明器具生産地において、一枚の段ボールを折り曲げて組立てられる包装箱からなる。この第２の包装装置３１は、前記包装箱１から取出されたランプ２を多数本収容可能な大きさの直方体形状をなし、１本から最大収納本数（例えば１０本）までの任意本数のランプ２を包装して、他のランプ消費地へのランプ２の輸送に供される。
【００９６】
図１４の展開図に示すように第２の包装装置３１は、底壁３２と、一対の側壁３３，３４と、蓋３５と、一対の第１の内フラップ３６と、一対の第２の内フラップ３７と、一対の端部閉鎖壁３８とを具備している。
【００９７】
底壁３２は、長四角形状をなし、その長手方向と直交する方向の幅Ｂは、例えばチューブ３で個装されたランプ２が横方向に並べられた例えば５本並べ得る幅に設定されている。
【００９８】
側壁３３，３４は底壁３２の長手方向に延びる互いに平行な側縁に個別に連設されている。底壁３２と側壁３３との境目には線状の折り目予定部４１が設けられ、底壁３２と側壁３４との境目にも線状の折り目予定部４２が設けられている。側壁３３，３４は、折り目予定部４１，４２を折り目として底壁３２に対して直角状に折り曲げることが可能である。これら側壁３３，３４の幅イはチューブ３の一辺の長さＸの整数倍に設定されている。例えば、既述のように包装箱1からの最大取出し本数が１０本であり、底壁３２の幅イが前記長さＸの５倍であるので、最大取出し本数のランプ２を包装できるように前記側壁３３，３４の幅イは前記長さＸの２倍に設定されている。
【００９９】
蓋３５は側壁３３，３４に個別に連設されている。一方の蓋３５と側壁３３との境目には線状の折り目予定部４３が設けられ、この折り目予定部４３を折り目として一方の蓋３５は側壁３３に対して直角状に折り曲げ可能である。同様に、他方の蓋３５と側壁３４との境目には線状の折り目予定部４４が設けられ、この折り目予定部４４を折り目として他方の蓋３５は側壁３４に対して直角状に折り曲げ可能である。なお、蓋３５は側壁３３，３４の内の一方にだけ設けることもできる。
【０１００】
第１の内フラップ３６は、折込み片４５と、蓋支持片４６と、折込み部４７とを備えていて、側壁３３の長手方向両端に夫々連設されている。
【０１０１】
詳しくは、折込み片４５は側壁３３の長手方向の端に連設されている。この折込み片４５と側壁３３との境目には線状の折り目予定部４８が設けられ、この折り目予定部４８を折り目として折込み片４５は側壁３３に対して直角状に折り曲げ可能である。この折り曲げにより、折込み片４５は底壁３２の長手方向の端の上に位置されるように折り込まれる。
【０１０２】
蓋支持片４６は折込み片４５に連設されていて、それにより、蓋支持片４６は折込み片４５を介して側壁３３に直角に連なっている。蓋支持片４６と折込み片４５との境目には線状の折り目予定部４９が設けられ、この折り目予定部４９を折り目として蓋支持片４６は折り曲げ可能である。折込み片４５と蓋支持片４６との折り曲げにより、これらはＬ形に折り曲げられて、その蓋支持片４６が底壁３２の端部と平行となるように折り込まれる。なお、図１４中符号５０は蓋支持片４６とこれに隣接した一方の蓋３５との間に入れられた切れ目を示しており、この切れ目５０により蓋支持片４６の折り曲げが可能となっている。折込み片４５及び蓋支持片４６の幅ロは、前記幅イと同じであり、したがって、前記長さの２倍に設定されている。
【０１０３】
折込み部４７は折込み片４５と蓋支持片４６とにわたって設けられている。この折込み部４７は、後述する２通りの折込み態様を得るために、切れ目５１と、折り目予定部５２と、折り目予定部５３とで区画されているとともに、内側に折り目予定部５４，５５を有している。
【０１０４】
切れ目５１は、折り目予定部４９と直交して折込み片４５と蓋支持片４６とにわたって設けられている。折り目予定部５２は、切れ目５１の一端に直角に連続して折込み片４５に設けられている。折り目予定部５３は、切れ目５１の他端に直角に連続して蓋支持片４６に設けられている。折り目予定部５４は、折り目予定部５２と平行をなして切れ目５１の途中に直角に連続して折込み片４５に設けられている。折り目予定部５５は、折り目予定部５３と平行をなして切れ目５１の途中に直角に連続して蓋支持片４６に設けられている。
【０１０５】
折り目予定部４９とこれに平行な折り目予定部５４及び５５との間の距離ハは、前記チューブ３の一辺の長さＸに等しい。折り目予定部５２，５４間の距離と、折り目予定部５３，５５間の距離とは等しく、これらの距離ニは前記長さＸの１/２に設定されている。
【０１０６】
第２の内フラップ３７は、折込み片６５と、蓋支持片６６と、折込み部６７とを備えていて、側壁３４の長手方向両端に夫々連設されている。
【０１０７】
詳しくは、折込み片６５は側壁３４の長手方向の端に連設されている。この折込み片６５と側壁３４との境目には線状の折り目予定部６８が設けられ、この折り目予定部６８を折り目として折込み片６５は側壁３４に対して直角状に折り曲げ可能である。この折り曲げにより、折込み片６５は底壁３２の長手方向の端の上に位置されるように折り込まれる。
【０１０８】
蓋支持片６６は折込み片６５に連設されていて、それにより、蓋支持片６６は折込み片６５を介して側壁３４に直角に連なっている。蓋支持片６６と折込み片６５との境目には線状の折り目予定部６９が設けられ、この折り目予定部６９を折り目として蓋支持片６６は折り曲げ可能である。折込み片６５と蓋支持片６６との折り曲げにより、これらはＬ形に折り曲げられて、その蓋支持片６６は底壁３２の端部と平行となるように折り込まれる。なお、図１４中符号７０は蓋支持片６６とこれに隣接した他方の蓋３５との間に入れられた切れ目を示しており、この切れ目７０により蓋支持片６６の折り曲げが可能となっている。折込み片６５及び蓋支持片６６の幅ホは、底壁３２の幅Ｂから折込み片４５の幅ロを差し引いた値に設定されて、従って、例えば折込み片４５の幅ロより大きい値である前記長さＸの３倍に設定されている。
【０１０９】
折込み部６７は折込み片６５と蓋支持片６６とにわたって設けられている。この折込み部６７は、後述する２通りの折込み態様を得るために、切れ目７１と、折り目予定部７２と、折り目予定部７３とで区画されているとともに、内側に折り目予定部７４，７５を有している。
【０１１０】
切れ目７１は、折り目予定部６９と直交して折込み片６５と蓋支持片６６とにわたって設けられている。折り目予定部７２は、切れ目７１の一端に直角に連続して折込み片６５に設けられている。折り目予定部７３は、切れ目７１の他端に直角に連続して蓋支持片６６に設けられている。折り目予定部７４は、折り目予定部７２と平行をなして切れ目７１の途中に直角に連続して折込み片６５に設けられている。折り目予定部７５は、折り目予定部７３と平行をなして切れ目７１の途中に直角に連続して蓋支持片６６に設けられている。
【０１１１】
折り目予定部６９とこれに平行な折り目予定部７４及び７５との間の距離トは、前記チューブ３の一辺の長さＸに等しい。折り目予定部７２，７４間の距離と、折り目予定部７３，７５間の距離とは等しく、これらの距離チは前記長さＸの１/２に設定されている。
【０１１２】
一対の端部閉鎖壁３８は、底壁３２に長手方向両端に個別に連設されている。これら端部閉鎖壁３８と底壁３２との境目には線状の折り目予定部７６が設けられている。端部閉鎖壁３８は、折り目予定部７６を折り目として底壁３２に対して直角状に折り曲げることが可能である。なお、図１４中符号７７は端部閉鎖壁３８と折込み片４５，６５との間に夫々設けた切れ目を示している。これらの切れ目７７によって端部閉鎖壁３８及び折込み片４５，６５の折り曲げが可能となっている。
【０１１３】
以下、第２の包装装置３１による最大１０本までのランプ２の包装手順と作用効果を説明する。
【０１１４】
チューブ３で個装されたランプ２を１本包装する場合は、まず、図１５（Ａ）に示すランプ配置工程を実施する。この工程では、ランプ２が収められたチューブ３の長手方向に延びる一つの角を、展開状態の第２の包装装置３１の折り目予定部４１に沿わせて底壁３２上に載せる。
【０１１５】
次に、図１５（Ｂ）に示す第１の内フラップ曲げ工程を実施する。この工程では、側壁３３の折り曲げと、折込み片４５の折り曲げと、蓋支持片４６の折り曲げと、折込み部４７との折込みとを行う。
【０１１６】
詳しくは、はじめに、折り目予定部４１を折って、底壁３２に対して側壁３３が直角状に起きるようにする。次に、折り目予定部４８を折って、起立状態の側壁３３に対して折込み片４５が直角状となるようにする。それにより、折込み片４５が底壁３２の端に設けられている折り目予定部７６上に位置されるようになる。この後、折り目予定部４９を折って、折込み片４５に対して蓋支持片４６が直角状となるようにする。それにより、蓋支持片４６が底壁３２と略平行になる。最後に、折込み部４７を、折込み片４５と蓋支持片４６とが挟む直角状の領域内に折込む。この場合、折り目予定部５２，５３と、折込み部４７内に位置した折り目予定部４９の部分が折られる。
【０１１７】
この第１の内フラップ曲げ工程により、一対の第１の内フラップ３６の折込み片４５間に個装されたランプ２がその長手方向から挟まれるようになるとともに、一対の第１の内フラップ３６の折込み部４７の側壁３３と対向した側縁と側壁３３との間に、個装されたランプ２の端部が挟まれるようになる。つまり、１本のランプ２が第２の包装装置３１の長手方向と幅方向に夫々動かないように保持される。
【０１１８】
この後、図１５（Ｃ）に示す第２の内フラップ曲げ工程を実施する。この工程では、側壁３４の折り曲げと、折込み片６５の折り曲げと、蓋支持片６６の折り曲げを行う。
【０１１９】
詳しくは、はじめに、折り目予定部４２を折って、底壁３２に対して側壁３４が直角状に起きるようにする。次に、折り目予定部６８を折って、起立状態の側壁３４に対して折込み片６５が直角状となるようにする。それにより、折込み片６５が底壁３２の端に設けられている折り目予定部７６上に位置されるようになる。この後、折り目予定部６９を折って、折込み片６５に対して蓋支持片６６が直角状となるようにする。それにより、蓋支持片６６が底壁３２と略平行になる。この第２の内フラップ曲げ工程により、いずれも直角状に曲げられた第２の内フラップ３７が、第１の内フラップ３６に対して第２の包装装置３１の幅方向に連続するように配置される。
【０１２０】
最後に、蓋閉め工程を行う。この工程では、折込み予定部４３，４４を折って蓋３５を閉じるとともに、折り目予定部７６を折って端部閉鎖壁３８を第１の内フラップ３６と第２の内フラップ３７とを覆うように配置した後、粘着テープなどの梱包保持部材７８を用いて蓋３５と端部閉鎖壁３８とを開き止めをする。これにより、個装された１本のランプ２を包装した第２の包装装置３１の組立てが完了する。
【０１２１】
以上の手順で組み立てられた第２の包装装置３１は、最大で１０本のランプを収容可能であるにも拘らず、この第２の包装装置３１自体によって、個装された１本のランプ２を前後方向（第２の包装装置３１の長手方向）と左右方向（第２の包装装置３１の幅方向）に夫々動かないように包装できる。
【０１２２】
又、個装されたランプ２を２本包装する場合は、まず、図１６（Ａ）に示すランプ配置工程を実施する。この工程では、１本目のランプ２を個装したチューブ３の長手方向に延びる一つの角を、展開状態の第２の包装装置３１の折り目予定部４１に沿わせて底壁３２上に載せるとともに、この上に２本目の個装されたランプ２を載せる。
【０１２３】
次に、図１５（Ｂ）で既に説明した第１の内フラップ曲げ工程を実施する。この工程を経た状態を図１６（Ｂ）に示す。この工程によって、個装された上下２本のランプ２は、左右方向から側壁３３と折込み部４７とで挟まれるとともに、上下方向から底壁３２と蓋支持片４６とで挟まれるようになる。
【０１２４】
この後、図１５（Ｃ）で既に説明した第２の内フラップ曲げ工程を実施する。
【０１２５】
最後に、図１５（Ｄ）で既に説明した蓋閉め工程を実施する。以上の手順でより、第２の包装装置３１が組立てられる。
【０１２６】
したがって、第２の包装装置３１自体によって、個装された１本のランプ２を前後方向（第２の包装装置３１の長手方向）、左右方向（第２の包装装置３１の幅方向）、及び上下方向（第２の包装装置３１の厚み方向）に夫々動かないように包装できる。
【０１２７】
又、個装されたランプ２を３本包装する場合は、まず、図１７（Ａ）に示すランプ配置工程を実施する。この工程では、まず、１本目のランプ２を個装したチューブ３の長手方向に延びる一つの角を、展開状態の第２の包装装置３１の折り目予定部４１に沿わせて底壁３２上に載せる。この後、１本目のランプ２の上に２本目の個装されたランプ２を載せるとともに、１本目のランプ２の横に並べて３本目の個装されたランプ２を底壁３２上に載せる。
【０１２８】
次に、図１５（Ｂ）で既に説明したと同様な第１の内フラップ曲げ工程を実施する。この工程を経た状態を図１７（Ｂ）に示す。この工程での最後に実施される折込み部４７の折込みでは、折り目予定部５４，５５と、折込み部４７内に位置した折り目予定部４９の部分が折られる。
【０１２９】
この工程によって、上下に重なった１本目と２本目の個装されたランプ２は、上下方向から底壁３２と蓋支持片４６とで挟まれるようになる。又、前記３本目の個装されたランプ２が、その長手方向からの一対の第１の内フラップ３６の折込み片４５で挟まれるようになるとともに、このランプ２の長手方向の端部が、底壁３２と折込み部４７とで上下方向から挟まれるようになる。
【０１３０】
この後、第２の内フラップ曲げ工程を実施する。この工程では、図１５（Ｃ）で既に説明した側壁３４の折り曲げと、折込み片６５の折り曲げと、蓋支持片６６の折り曲げに加えて、最後に、折込み片６５と蓋支持片６６とが挟む直角状の領域内に折込み部６７を折込む作業が実施される。この折込みにおいては、折り目予定部７２，７３と、折込み部６７内に位置した折り目予定部６９の部分が折られる。
【０１３１】
それにより、１本目と３本目の個装されたランプ２が、左右方向から側壁３３と第２の内フラップ３７の折込み部６７とで挟まれるようになる。この工程を経た状態を図１７（Ｃ）に示す。
【０１３２】
最後に、図１５（Ｄ）で既に説明した蓋閉め工程を実施する。以上の手順により、第２の包装装置３１が組立てられる。
【０１３３】
したがって、第２の包装装置３１自体によって、個装された３本のランプ２を前後方向（第２の包装装置３１の長手方向）、左右方向（第２の包装装置３１の幅方向）、及び上下方向（第２の包装装置３１の厚み方向）に夫々動かないように包装できる。
【０１３４】
又、個装されたランプ２を４本包装する場合は、まず、図１８（Ａ）に示すランプ配置工程を実施する。この工程では、個装された４本のランプ２が縦横２本ずつ並ぶようにして、その内の１本のランプ２を個装したチューブ３の長手方向に延びる一つの角を、展開状態の第２の包装装置３１の折り目予定部４２に沿わせて底壁３２上に載せる。
【０１３５】
次に、図１７（Ｃ）で既に説明した第２の内フラップ曲げ工程を実施する。この場合、折り目予定部７２，７３と、折込み部６７内に位置する折り目予定部６９の部分とが折られて、折込み片６５と蓋支持片６６とが挟む直角状領域内に折込み部６７が折込まれる。この工程を経た状態を図１８（Ｂ）に示す。この第２の内フラップ曲げ工程によって、個装された４本のランプ２は、左右方向から側壁３４と折込み部６７とで挟まれるとともに、上下方向から底壁３２と蓋支持片６６とで挟まれるようになる。
【０１３６】
この後、図１５（Ｂ）で既に説明したと同様な第１の内フラップ曲げ工程を実施する。この場合、第１の内フラップ３６は、その折込み片４５と蓋支持片４６とが折り曲げられるだけで、折込み部４７は折込まれない。
【０１３７】
最後に、図１５（Ｄ）で既に説明した蓋閉め工程を実施する。以上の手順により、第２の包装装置３１が組立てられる。
【０１３８】
したがって、第２の包装装置３１自体によって、個装された４本のランプ２を前後方向（第２の包装装置３１の長手方向）、左右方向（第２の包装装置３１の幅方向）、及び上下方向（第２の包装装置３１の厚み方向）に夫々動かないように包装できる。
【０１３９】
又、個装されたランプ２を５本包装する場合は、まず、図１９（Ａ）に示すランプ配置工程を実施する。この工程では、個装された４本のランプ２が縦横２本ずつ並ぶようにして、その内の１本のランプ２を個装したチューブ３の長手方向に延びる一つの角を、展開状態の第２の包装装置３１の折り目予定部４２に沿わせて底壁３２上に載せるとともに、これらに並べて個装された５本目のランプ２を底壁３２上に載せる。
【０１４０】
次に、図１７（Ｃ）で既に説明した第２の内フラップ曲げ工程を実施する。この場合、折り目予定部７４，７５と、折込み部６７内に位置する折り目予定部４４の部分とが折られて、折込み片６５と蓋支持片６６とが挟む直角状領域内に折込み部６７が折込まれる。この工程を経た状態を図１９（Ｂ）に示す。この第２の内フラップ曲げ工程によって、個装された４本のランプ２は、上下方向から底壁３２と蓋支持片６６とで挟まれるようになるとともに、４本の内の上側の２本のランプ２は、左右方向から側壁３４と折込み部６７とで挟まれるようになる。又、前記５本目の個装されたランプ２が、その長手方向からの一対の第２の内フラップ３７の折込み片６５で挟まれるようになるとともに、このランプ２の長手方向の端部が、底壁３２と折込み部６７とで上下方向から挟まれるようになる。
【０１４１】
この後、図１５（Ｂ）で既に説明した第１の内フラップ曲げ工程を実施する。この場合、第１の内フラップ３６は、その折込み片４５と蓋支持片４６とが折り曲げられた後に、折り目予定部５２，５３と、折込み部４７内に位置した折り目予定部４９の部分が折られて、折込み部４７が折込まれる。それにより、底壁３２に沿って並んでいる３本の個装されたランプ２が、左右方向から側壁３４と第１の内フラップ３６の折込み部４７とで挟まれるようになる。この第１の内フラップ曲げ工程を経た状態を図１９（Ｃ）に示す。
【０１４２】
最後に、図１５（Ｄ）で既に説明した蓋閉め工程を実施する。以上の手順により、第２の包装装置３１が組立てられる。
【０１４３】
したがって、第２の包装装置３１自体によって、個装された５本のランプ２を前後方向（第２の包装装置３１の長手方向）、左右方向（第２の包装装置３１の幅方向）、及び上下方向（第２の包装装置３１の厚み方向）に夫々動かないように包装できる。
【０１４４】
又、個装されたランプ２を６本包装する場合は、まず、図２０（Ａ）に示すランプ配置工程を実施する。この工程では、個装された６本のランプ２が上下３本ずつ並ぶようにして、その内の１本のランプ２を個装したチューブ３の長手方向に延びる一つの角を、展開状態の第２の包装装置３１の折り目予定部４２に沿わせて底壁３２上に載せる。
【０１４５】
次に、図１５（Ｂ）で既に説明した第１の内フラップ曲げ工程を実施する。この場合、第１の内フラップ３６は、その折込み片４５と蓋支持片４６とが折り曲げられた後に、折り目予定部５２，５３と、折込み部４７内に位置した折り目予定部４３の部分が折られて、折込み部４７が折込まれる。それにより、６本の個装されたランプ２が、左右方向から側壁３４と第１の内フラップ３６の折込み部４７とで挟まれるようになる。
【０１４６】
この後、図１７（Ｃ）で第２の内フラップ曲げ工程を実施する。この場合、折込み片６５と蓋支持片６６とが折り曲げられるだけで、折込み部６７は折込まれない。この工程によって、個装された６本のランプ２が、その長手方向から一対の第２の内フラップ３７の折込み片６５で挟まれるようになるとともに、これらランプ２の長手方向の端部が、上下方向から底壁３２と蓋支持片６６とで挟まれるようになる。この状態を図２０（Ｂ）に示す。
【０１４７】
最後に、図１５（Ｄ）で既に説明した蓋閉め工程を実施することにより、第２の包装装置３１が組立てられる。
【０１４８】
したがって、第２の包装装置３１自体によって、個装された６本のランプ２を前後方向（第２の包装装置３１の長手方向）、左右方向（第２の包装装置３１の幅方向）、及び上下方向（第２の包装装置３１の厚み方向）に夫々動かないように包装できる。
【０１４９】
又、個装されたランプ２を７本包装する場合は、まず、図２１（Ａ）に示すランプ配置工程を実施する。この工程では、個装された６本のランプ２を図２０（Ａ）で既に説明した手順で底壁３２上に載せるとともに、個装された７本目のランプ２を図１５（Ａ）で既に説明した手順で、底壁３２上に載せる。
【０１５０】
次に、図２０（Ｂ）で既に説明した第１の内フラップ曲げ工程と、折込み部６７の折込みを伴わない第２の内フラップ曲げ工程とを実施する。この場合、第１の内フラップ曲げ工程では、折り目予定部５２，５３と、折込み部４７内に位置した折り目予定部４９の部分が折られて、第１の内フラップ３６の折込み部４７が折込まれる。
【０１５１】
第１の内フラップ曲げ工程により、６本の個装されたランプ２が、左右方向から側壁３４と第１の内フラップ３６の折込み部４７とで挟まれるようになるとともに、７本目のランプ２が左右方向から側壁３３と第１の内フラップ３６の折込み部４７とで挟まれるようになる。更に、第２の内フラップ曲げ工程により、既述のように７本目のランプを除く個装された６本のランプ２が、その長手方向から一対の第２の内フラップ３７の折込み片６５で挟まれるようになるとともに、これらランプ２の長手方向の端部が、上下方向から底壁３２と蓋支持片６６とで挟まれるようになる。この状態を図２１（Ｂ）に示す。
【０１５２】
最後に、図１５（Ｄ）で既に説明した蓋閉め工程を実施することにより、第２の包装装置３１が組立てられる。
【０１５３】
したがって、第２の包装装置３１自体によって、個装された６本のランプ２を、前後方向（第２の包装装置３１の長手方向）、左右方向（第２の包装装置３１の幅方向）、及び上下方向（第２の包装装置３１の厚み方向）に夫々動かないように包装できるとともに、個装された７本目のランプ２を、前後方向（第２の包装装置３１の長手方向）、左右方向（第２の包装装置３１の幅方向）に夫々動かないように包装できる。
【０１５４】
又、個装されたランプ２を８本包装する場合は、まず、図２２（Ａ）に示すランプ配置工程を実施する。この工程では、個装された４本のランプ２が縦横２本ずつ並ぶようにして、その内の１本のランプ２を個装したチューブ３の長手方向に延びる一つの角を、展開状態の第２の包装装置３１の折り目予定部４１に沿わせて底壁３２上に載せる。これとともに、個装された他の４本のランプ２が縦横２本ずつ並ぶようにして、その内の１本のランプ２を個装したチューブ３の長手方向に延びる一つの角を、展開状態の第２の包装装置３１の折り目予定部４２に沿わせて底壁３２上に載せる。この状態では、左右の４本ずつのランプ２群間に、ランプ２を個装したチューブ３の一辺の長さＸに相当する空隙が開けられている。
【０１５５】
次に、折込み部４７の折り曲げを伴わない第１の内フラップ曲げ工程と、図１９（Ｂ）で説明した折込み部６７の折込みを伴う第２の内フラップ曲げ工程とを実施する。
【０１５６】
折込み片４５と蓋支持片４６だけが折り曲げられる第１の内フラップ曲げ工程によって、図２２（Ａ）中左側の４本の個装されたランプ２が、その長手方向から一対の第１の内フラップ３６の折込み片４５で挟まれるようになるとともに、これらランプ２の長手方向の端部が、上下方向から底壁３２と蓋支持片４６とで挟まれるようになる。
【０１５７】
又、第２の内フラップ曲げ工程での第２の内フラップ３７の折込み部６７の折込みは、折り目予定部７２，７３と、折込み部６７内に位置した折り目予定部４４の部分が折られて実施される。この第２の内フラップ曲げ工程によって、図２２（Ａ）中右側の４本の個装されたランプ２が、その長手方向から一対の第２の内フラップ３７の折込み片６５で挟まれるようになるとともに、これらランプ２の長手方向の端部が、上下方向から底壁３２と蓋支持片６６とで挟まれるようになる。更に、折込まれた折込み部６７と側壁３３との間に、図２２（Ａ）中左側の４本の個装されたランプ２の内で底壁３２に接している２本のランプ２が挟まれるようになるとともに、折込まれた折込み部６７と側壁３４との間に、図２２（Ａ）中右側の４本の個装されたランプ２の内で底壁３２に接している２本のランプ２が挟まれるようになる。この状態を図２２（Ｂ）に示す。
【０１５８】
最後に、図１５（Ｄ）で既に説明した蓋閉め工程を実施する。以上の手順により、第２の包装装置３１が組立てられる。
【０１５９】
したがって、第２の包装装置３１自体によって、個装された８本のランプ２を、前後方向（第２の包装装置３１の長手方向）、左右方向（第２の包装装置３１の幅方向）、及び上下方向（第２の包装装置３１の厚み方向）に夫々動かないように包装できる。
【０１６０】
又、個装されたランプ２を９本包装する場合は、まず、図２３（Ａ）に示すランプ配置工程を実施する。この工程では、個装された５本のランプ２を、展開状態の第２の包装装置３１の底壁３２上に載せた後、真中に位置したランプ２以外の４本のランプ２上に夫々に個装されたランプ２を載せる。この状態では、上段に位置した左右の２本ずつのランプ２群間に、ランプ２を個装したチューブ３の一辺の長さＸに相当する空隙が開けられている。
【０１６１】
次に、図２２（Ｂ）で説明した折込み部４７の折り曲げを伴わない第１の内フラップ曲げ工程と、図２２（Ｂ）で説明したと同様な折込み部６７の折込みを伴う第２の内フラップ曲げ工程とを実施する。
【０１６２】
この場合の第１の内フラップ曲げ工程によって、図２３（Ａ）中左側の４本の個装されたランプ２が、その長手方向から一対の第１の内フラップ３６の折込み片４５で挟まれるようになるとともに、これらランプ２の長手方向の端部が、上下方向から底壁３２と蓋支持片４６とで挟まれるようになる。
【０１６３】
又、第２の内フラップ曲げ工程での第２の内フラップ３７の折込み部６７の折込みは、折り目予定部７４，７５と、折込み部６７内に位置した折り目予定部４４の部分が折られて実施される。この第２の内フラップ曲げ工程によって、図２３（Ａ）中右側の４本の個装されたランプ２が、その長手方向から一対の第２の内フラップ３７の折込み片６５で挟まれるようになるとともに、これらランプ２の長手方向の端部が、上下方向から底壁３２と蓋支持片６６とで挟まれるようになる。更に、折込まれた折込み部６７が、上段に位置した左右の２本ずつのランプ２群間の空隙に挿入される。それにより、折込み部６７と側壁３３との間に、図２３（Ａ）中左側に配置されて蓋支持片４６に接している上側２本の個装されたランプ２が挟まれるようになるとともに、折込み部６７と側壁３４との間に、図２３（Ａ）中右側に配置されて蓋支持片６６に接している上側２本の個装されたランプ２が挟まれるようになる。この状態を図２３（Ｂ）に示す。
【０１６４】
最後に、図１５（Ｄ）で既に説明した蓋閉め工程を実施することにより、第２の包装装置３１が組立てられる。
【０１６５】
したがって、第２の包装装置３１自体によって、個装された９本のランプ２を、前後方向（第２の包装装置３１の長手方向）、左右方向（第２の包装装置３１の幅方向）、及び上下方向（第２の包装装置３１の厚み方向）に夫々動かないように包装できる。
【０１６６】
又、個装されたランプ２を１０本包装する場合は、まず、図２４（Ａ）に示すランプ配置工程を実施する。この工程では、個装された１０本のランプ２を、５本ずつ上下２段に重ねて展開状態の第２の包装装置３１の底壁３２上に載せる。
【０１６７】
次に、図２２（Ｂ）で説明した折込み部４７の折り曲げを伴わない第１の内フラップ曲げ工程と、図２１（Ｃ）で説明した折込み部６７の折り曲げを伴わない第２の内フラップ曲げ工程とを実施する。
【０１６８】
この場合の第１の内フラップ曲げ工程によって、図２４（Ａ）中左側の４本の個装されたランプ２が、その長手方向から一対の第１の内フラップ３６の折込み片４５で挟まれるようになるとともに、これらランプ２の長手方向の端部が、上下方向から底壁３２と蓋支持片４６とで挟まれるようになる。
【０１６９】
又、第２の内フラップ曲げ工程によって、残りの６本の個装されたランプ２が、その長手方向から一対の第２の内フラップ３７の折込み片６５で挟まれるようになるとともに、これらランプ２の長手方向の端部が、上下方向から底壁３２と蓋支持片６６とで挟まれるようになる。この状態を図２４（Ｂ）に示す。
【０１７０】
最後に、図１５（Ｄ）で既に説明した蓋閉め工程を実施する。以上の手順により、第２の包装装置３１が組立てられる。
【０１７１】
したがって、第２の包装装置３１自体によって、個装された１０本のランプ２を、前後方向（第２の包装装置３１の長手方向）、左右方向（第２の包装装置３１の幅方向）、及び上下方向（第２の包装装置３１の厚み方向）に夫々動かないように包装できる。
【０１７２】
以上説明したように照明器具生産地で包装箱１から取出されたランプ２を、照明器具生産地から他の消費地へ輸送する際等に、以上の第２の包装装置３１を使用することで、その内部に収容された１本以上１０本までのランプ２に対する以上の動き止めによって、ランプ２に加わる衝撃を有効に緩衝できる。
【０１７３】
以上のように第２の包装装置３１は、それ自体の構成で、収容されたランプ２を動き止めできる。このため、ランプ２を動き止めする詰め物やそれ専用の部材を要することがない。したがって、ランプ消費地に必要とする本数のランプ２を照明器具生産地からランプ消費地に輸送する上で、その包装コストを低減できる。又、第２の包装装置３１は段ボール製であるので、それを廃材として回収ないし廃棄する上で好ましい。
【０１７４】
又、既述のようにランプ生産地から照明器具生産地（輸送中継地）を経て複数のランプ消費地に必要な本数のランプを輸送する蛍光ランプ物流システムは、以下のように構成されている。
【０１７５】
すなわち、この物流システムは、
四角形状の底壁４、この底壁４の四周に連設された第１から第４の側壁５ａ〜５ｄにより四角筒状をなす周壁５、この周壁５に連設された蓋６を有して、断面が正四角筒状をなす保護用のチューブ３で個装された直管型の蛍光ランプ２が縦横に複数段重ねられた状態に収容された段ボール製の包装箱１の輸送中継地で、
底壁４に接する１段目の蛍光ランプ２を除いて任意本数の蛍光ランプ２を包装箱１から取出すとともに、
平行な第１の側壁５ａと第２の側壁５ｂにわたる幅を有したベース板部１３、チューブ３の一辺の長さＸの整数倍の幅を有してベース板部１３から折り曲げられ第１の側壁５ａ又は第２の側壁５ｂ内面に沿って配置される一対の保持板部１４ａ，１４ｂ、及びベース板部１３から折り曲げられて一対の保持板部１４ａ，１４ｂにわたる方向に沿ってチューブ３の一辺の長さＸの整数倍の長さを占める複数のスペーサ部１５〜１７を有する段ボール製の支持板１２を、蛍光ランプ２が取出された包装箱１内に収めてこの包装箱１内に残された蛍光ランプ２を位置決めして第１の包装装置１１を形成し、
この第１の包装装置１１を用いて前記輸送中継地からランプ消費地にこの消費地が要する本数の蛍光ランプ２を輸送する一方で、
長四角形状の底壁３２と；この底壁３２の長手方向に延びる一対の側縁に夫々連設された一対の側壁３３，３４と；これら側壁３３，３４の少なくとも一方に連設された蓋３５と；チューブ３の一辺の長さＸの整数倍の幅を有した内フラップ３６，３７であって、側壁３３，３４の長手方向の端から底壁３２の長手方向の端の上に位置されるように折り込まれる折込み片４５，６５、この折込み片４５，６５から折り曲げられて蓋３５の内面に接する蓋支持片４６，６６、及び最大収容本数未満の本数の蛍光ランプ２を包装する際に折込み片４５，６５と蓋支持片４６，６６とにわたる一部分がＬ字形状に折込まれることで形成されて、底壁３２に接した蛍光ランプ２及びこの蛍光ランプ２上に重なった他の蛍光ランプ２を、一対の側壁３３，３４の内の少なくとも一方との間に挟むように設けられる折込み部４７，６７を備えた内フラップ３６，３７と；底壁３２の長手方向の端に夫々連設されて一対の内フラップ３６，３７の外面を覆う端部閉鎖壁３８と；を具備する第２の包装装置３１に、前記輸送中継地において包装箱１から取出された蛍光ランプ２を収容し、
第２の包装装置３１を用いて、他のランプ消費地に、この他のランプ消費地が要する本数の蛍光ランプ２を輸送することを特徴としている。
【０１７６】
この蛍光ランプ物流システムによれば、既述のように詰め物を要することなく、第１の包装装置１１及び第２の包装装置３１に収容された任意数の直管型蛍光ランプ２を夫々の包装装置に位置決めできるので、輸送コストを低減できる。
【図面の簡単な説明】
【０１７７】
【図１】蛍光ランプ物流システムで使用される本発明の第１実施形態に係る包装装置が備える包装箱を示し、（Ａ）は梱包状態の斜視図、（Ｂ）は開梱状態の斜視図、（Ｃ）は梱包状態での断面図。
【図２】本発明の第１実施形態に係る包装装置を分解して示す斜視図。
【図３】図２の包装装置が備える支持板を示す展開図。
【図４】図２の包装装置が備える支持板の第１の使用態様を示す斜視図。
【図５】図２の包装装置が備える支持板の第２の使用態様を示す斜視図。
【図６】図２の包装装置が備える支持板の第３の使用態様を示す斜視図。
【図７】図２の包装装置が備える支持板の第４の使用態様を示す斜視図。
【図８】図２の包装装置が備える支持板の第５の使用態様を示す斜視図。
【図９】図２の包装装置が備える支持板の第６の使用態様を示す斜視図。
【図１０】図２の包装装置が備える支持板の第７の使用態様を示す斜視図。
【図１１】図２の包装装置が備える支持板の第８の使用態様を示す斜視図。
【図１２】図２の包装装置が備える支持板の第９の使用態様を示す斜視図。
【図１３】図２の包装装置が備える支持板の第１０の使用態様を示す斜視図。
【図１４】蛍光ランプ物流システムで使用される本発明の第２実施形態に係る包装装置を示す展開図。
【図１５】（Ａ）は図１４の包装装置で１本の蛍光ランプを包装する第１の手順を示す斜視図。（Ｂ）は図１４の包装装置で１本の蛍光ランプを包装する第２の手順を示す斜視図。（Ｃ）は図１４の包装装置で１本の蛍光ランプを包装する第３の手順を示す斜視図。（Ｄ）は図１４の包装装置で蛍光ランプが包装された状態を示す斜視図。
【図１６】（Ａ）は図１４の包装装置で２本の蛍光ランプを包装する第１の手順を示す斜視図。（Ｂ）は図１４の包装装置で２本の蛍光ランプを包装する第２の手順を示す斜視図。
【図１７】（Ａ）は図１４の包装装置で３本の蛍光ランプを包装する第１の手順を示す斜視図。（Ｂ）は図１４の包装装置で３本の蛍光ランプを包装する第２の手順を示す斜視図。（Ｃ）は図１４の包装装置で３本の蛍光ランプを包装する第３の手順を示す斜視図。
【図１８】（Ａ）は図１４の包装装置で４本の蛍光ランプを包装する第１の手順を示す斜視図。（Ｂ）は図１４の包装装置で４本の蛍光ランプを包装する第２の手順を示す斜視図。
【図１９】（Ａ）は図１４の包装装置で５本の蛍光ランプを包装する第１の手順を示す斜視図。（Ｂ）は図１４の包装装置で５本の蛍光ランプを包装する第２の手順を示す斜視図。（Ｃ）は図１４の包装装置で５本の蛍光ランプを包装する第３の手順を示す斜視図。
【図２０】（Ａ）は図１４の包装装置で６本の蛍光ランプを包装する第１の手順を示す斜視図。（Ｂ）は図１４の包装装置で６本の蛍光ランプを包装する第２の手順を示す斜視図。
【図２１】（Ａ）は図１４の包装装置で７本の蛍光ランプを包装する第１の手順を示す斜視図。（Ｂ）は図１４の包装装置で７本の蛍光ランプを包装する第２の手順を示す斜視図。
【図２２】（Ａ）は図１４の包装装置で８本の蛍光ランプを包装する第１の手順を示す斜視図。（Ｂ）は図１４の包装装置で８本の蛍光ランプを包装する第２の手順を示す斜視図。
【図２３】（Ａ）は図１４の包装装置で９本の蛍光ランプを包装する第１の手順を示す斜視図。（Ｂ）は図１４の包装装置で９本の蛍光ランプを包装する第２の手順を示す斜視図。
【図２４】（Ａ）は図１４の包装装置で１０本の蛍光ランプを包装する第１の手順を示す斜視図。（Ｂ）は図１４の包装装置で１０本の蛍光ランプを包装する第２の手順を示す斜視図。
【符号の説明】
【０１７８】
１…包装箱、２…直管型蛍光ランプ、３…チューブ、４…包装箱の底壁、５…包装箱の周壁、５ａ…周壁の第１の側壁、５ｂ…周壁の第２の側壁、５ｃ…周壁の第３の側壁、５ｄ…周壁の第４の側壁、６…包装箱の蓋、１１…第１の包装装置、１２…支持板、１３ａ…ベース板部、Ｘ…ベース板部の幅、１４ａ，１４ｂ…保持板部、Ｂ…保持板部の幅、１５…第１のスペーサ部、１６…第２のスペーサ部、１７…第３のスペーサ部、３１…第２の包装装置、３２…底壁、３３、３４…側壁、３５…蓋、３６，３７…内フラップ、３８…端部閉鎖壁、４５，６５…折込み片、４６，６６…蓋支持片、４７，６７…折込み部
【図１】
2007055672.tif 000003
【図２】
2007055672.tif 000004
【図３】
2007055672.tif 000005
【図４】
2007055672.tif 000006
【図５】
2007055672.tif 000007
【図６】
2007055672.tif 000008
【図７】
2007055672.tif 000009
【図８】
2007055672.tif 000010
【図９】
2007055672.tif 000011
【図１０】
2007055672.tif 000012
【図１１】
2007055672.tif 000013
【図１２】
2007055672.tif 000014
【図１３】
2007055672.tif 000015
【図１４】
2007055672.tif 000016
【図１５】
2007055672.tif 000017
【図１６】
2007055672.tif 000018
【図１７】
2007055672.tif 000019
【図１８】
2007055672.tif 000020
【図１９】
2007055672.tif 000021
【図２０】
2007055672.tif 000022
【図２１】
2007055672.tif 000023
【図２２】
2007055672.tif 000024
【図２３】
2007055672.tif 000025
【図２４】
2007055672.tif 000026